(57)【要約】【課題】シートの補助輪に円滑なころがり性を確保できてフロアのカーペットにその補助輪の筋状圧痕を付けさせずにそのフロア上にそのシートを前後に移動可能にして適宜の位置に据え付け可能にする。【解決手段】左右のフロントおよびリア・シート２４、２５および２６、２７間でフロア２１の前後方向に延び、そのフロア２１に細長く開口されて組み付けられ、そして、そのフロア２１上にシートを前後方向に移動可能にして適宜の位置に据え付け可能にする横断面溝形ロング・スライド・レール１１と、そのロング・スライド・レール１１の左右のトップ・フランジ１２、１３上に固定的に取り付けられてそのロング・スライド・レール１１の左右に沿って延び、そして、そのシート２８の補助輪３３、３４のころがり移動範囲に亙ってそのフロア２１上に敷かれる左右の幅広帯状フロア・フィニッシャ１６、１７とを含む。【選択図】      図２
2004231090.tif 000002
【特許請求の範囲】
【請求項１】
左右のフロントおよびリア・シート間でフロアの前後方向に延び、そのフロアに細長く開口されて組み付けられ、そして、そのフロア上にシートを前後方向に移動可能にして適宜の位置に据え付け可能にする横断面溝形ロング・スライド・レールと、そのロング・スライド・レールの左右のトップ・フランジ上に固定的に取り付けられてそのロング・スライド・レールの左右に沿って延び、そして、そのシートの補助輪のころがり移動範囲に亙ってそのフロア上に敷かれる左右の幅広帯状フロア・フィニッシャとを含む自動車シートに用いるモノレール。
【発明の詳細な説明】
【０００１】
【発明の関係する分野】
この発明は、ワゴン、バン、およびレクリエーショナル・ビークルなどにおいて左右のフロントおよびリア・シート間でフロア上にシートを前後に移動可能にし、そして、適宜の位置に据え付け可能にするところの自動車シートに用いるモノレールに関する。
【０００２】
【背景技術】
最近、ワゴンやバンでは、１本のロング・スライド・レールが左右のフロントおよびリア・シート間でそのフロント・シートから荷室に延びてフロアに配置され、そのフロア上に、小型の補助センタ・シートを前後に移動可能にして適宜の位置に据え付け可能にし、そして、車室内の移動性および居住性を向上させ、また、会話をし易くする傾向にある。
その補助センタ・シートは、移動や座心地感の安定のためにローラーを１個若しくは複数備える。ところが、そのローラーにはシート重量や乗員重量の大きな荷重がかかるので、そのフロアのカーペットとの接触面に圧痕が筋状に残って外観性が損なわれたり、また、そのカーペットは、毛足が長いと、そのローラーのころがりに影響を与える。
【０００３】
【発明の課題】
この発明の課題は、シートの補助輪に円滑なころがり性を確保できてフロアのカーペットにその補助輪の筋状圧痕を付けさせずにそのフロア上にそのシートを前後に移動可能にして適宜の位置に据え付け可能にするところの自動車シートに用いるモノレールの提供にある。
【０００４】
【課題に相応する手段およびそれの作用】
この発明は、左右のフロントおよびリア・シート間でフロアの前後方向に延び、そのフロアに細長く開口されて組み付けられ、そして、そのフロア上にシートを前後に移動可能にして適宜の位置に据え付け可能にする横断面溝形ロング・スライド・レールと、そのロング・スライド・レールの左右のトップ・フランジ上に固定的に取り付けられてそのロング・スライド・レールの左右に沿って延び、そして、そのシートの補助輪のころがり移動範囲に亙ってそのフロア上に敷かれる左右の幅広帯状フロア・フィニッシャとを含み、そして、そのシートがそのロング・スライド・レールに案内されてそのフロア上に前後に移動される際、その幅広帯状フロア・フィニッシャ上にその補助輪をころがらせる。
【０００５】
【具体例の説明】
以下、特定されて図示された具体例に基づいて、この発明の自動車シートに用いるモノレールを説明するに、図１および図２は、ワゴン２０の小型の補助センタ・シート２８に活用するように具体化されたところのこの発明の自動車シートに用いるモノレールの具体例１０を示し、そして、そのワゴン２０が左右のフロントおよびリア・シート２４、２５および２６、２７、およびその小型の補助センタ・シート２８を備え、そして、その左右のリア・シート２６、２７の後方スペースを荷室２２に活用する構造を採用するので、この自動車シートに用いるモノレール１０では、横断面溝形スライド・レール１１が、その左右のフロントおよびリア・シート２４、２５および２６、２７間でフロア２１の前後方向に延び、そのフロア２１に細長く開口されて組み付けられ、そして、そのフロア２１上にその小型の補助センタ・シート２８を前後に移動可能にして適宜の位置に据え付け可能にし、また、左右の幅広帯状フロア・フィニッシャ１６、１７が、そのロング・スライド・レール１１の左右のトップ・フランジ１２、１３上に固定的に取り付けられてそのロング・スライド・レール１１の左右に沿って延び、そして、その小型の補助センタ・シート２８の補助輪３３、３４のころがり移動範囲に亙ってそのフロア２１上に敷かれる。
【０００６】
そのロング・スライド・レール１１は、鋼板から成形され、その左右のトップ・フランジ１２、１３のそれぞれにリップ１４、１５を備え、そして、そのフロア２１においてフロントからその荷室２２に延びて必要に応じてその小型の補助センタ・シート２８をその荷室２２に移動させて置けるようにしている。
【０００７】
そのフロア・フィニッシャ１６、１７は、通常の細長いフロア・フィニッシャの側縁にひれを適宜の長さに伸長させて樹脂から幅広帯状に成形され、そして、そのフロア２１のカーペット２３上に重ねて敷かれ、そして、そのひれ上にその小型の補助センタ・シート２８のその補助輪３３、３４を走らせる構造を採る。そうすることによって、その左右の幅広帯状フロア・フィニッシャ１６、１７はそのカーペット２３にその補助輪３３、３４の圧痕を付けさせずにその補助輪３３、３４を円滑にころがらせる。
【０００８】
また、その小型の補助センタ・シート２８は、シート・クッション２９を後方に跳ね上げ可能にする折りたたみ構造を採り、ランナー３０上にフロント・レッグ３１およびリア・レッグ３２を固定的に立ち上げ、支持フレーム（図示せず）でそのフロントおよびリア・レッグ３１、３２間に支持され、そして、そのロング・スライド・レール１１にそのランナー３０を摺動可能にはめ合わせてロング・スライド・レール１１に支持される。そしてさらに、この小型の補助センタ・シート２８は、左右のスプリング押付け型ブラケット３５、３６でその補助輪３３、３４をそのランナー３０の両側に配置し、そして、その幅広帯状フロア・フィニッシャ１６，１７上にその補助輪３３、３４をころがらせて安定性を向上させている。
【０００９】
その小型の補助センタ・シート２８において３７、３８はローラー、３９はピン、そして４０はローラー・ブラケットである。
【００１０】
したがって、この自動車シートに用いるモノレール１０では、その補助輪３３、３４がその幅広帯状フロア・フィニッシャ１６、１７上に円滑にころがり、そして、その補助輪３３、３４の筋状圧痕がそのカーペット２３に付くことが回避される。そのカーペット２３に外観性が損われず、また、毛足の長いカーペットであってもその補助輪３３、３４のころがりはそのカーペットに影響されない。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明の自動車シートに用いるモノレールは、左右のフロントおよびリア・シート間でフロアの前後方向に延び、そのフロアに細長く開口されて組み付けられ、そして、そのフロア上にシートを前後に移動可能にして適宜の位置に据え付け可能にする横断面溝形ロング・スライド・レールと、そのロング・スライド・レールの左右のトップ・フランジ上に固定的に取り付けられてそのロング・スライド・レールの左右に沿って延び、そして、そのシートの補助輪のころがり移動範囲に亙ってそのフロア上に敷かれる左右の幅広帯状フロア・フィニッシャとを含むので、この発明の自動車シートに用いるモノレールでは、そのシートの補助輪に円滑なころがり性が確保され、そのフロアのカーペットにその補助輪の筋状圧痕が付いて残らず、そのシートがそのフロア上に前後に移動可能にされて適宜の位置に据え付け可能になり、そのカーペットに外観性が保たれ、そして、毛足の長いカーペットにもその補助輪のころがりはそのカーペットに影響されずに円滑であり、その結果、モノレールを用いる自動車シートにとって非常に有用で実用的である。
【図面の簡単な説明】
【図１】ワゴンのフロア上に配置された左右のフロントおよびリア・シートに関連してこの発明の自動車シートに用いるモノレールの具体例を示した車室フロアの平面図である。
【図２】図１の２−２線に沿って示した断面図である。
【符号の説明】
１１  横断面溝形ロング・スライド・レール
１２  左のトップ・フランジ
１３  右のトップ・フランジ
１６  左の幅広帯状フロア・フィニッシャ
１７  右の幅広帯状フロア・フィニッシャ
２０  ワゴン
２１  フロア
２２  荷室
２３  カーペット
２４  左のフロント・シート
２５  右のフロント・シート
２６  左のリア・シート
２７  右のリア・シート
２８  補助センタ・シート
２９  シート・クッション
３０  ランナー
３３  補助輪（左）
３４  補助輪（右）
【図１】
2004231090.tif 000003
【図２】
2004231090.tif 000004